(57)【特許請求の範囲】
【請求項１】
器具がビスを用いて取り付け固定される配線ボックスであって、
ボックス本体と、前記ビスを固定するためのビス固定具とからなり、
前記ボックス本体は、前記器具が取り付けられる器具取付部を備え、
前記器具取付部は、前記ビスが挿入されるビス挿入孔と、そのビス挿入孔に連通して前記ビス固定具が収容される収容部とを有し、
前記ビス固定具は、前記ビスの前記ビス挿入孔への挿入方向に沿うように設けられる、一つまたは複数の基板部と、前記基板部の少なくとも一つから前記ビス挿入孔に向かって延設される弾性片とを備え、
前記弾性片の先端部分が、前記ビス挿入孔に挿入された前記ビスのビス軸外周面に係合してそのビスを抜け止め状態に係止する係止部となり、かつ、前記弾性片は、前記ビスの前記ビス挿入孔への挿入を許容すべくそのビスに押されて、前記ビス挿入孔の中心から離れる方向である外方に弾性変形するとともに、元の位置に戻ろうとする復帰力を備え、
前記弾性片が設けられた前記基板部は、前記ビスの前記ビス挿入孔への挿入による前記弾性片の前記外方への弾性変形量を少なくすべく、その基板部の弾性により前記外方へ変位可能、かつ、その基板部の元の位置に戻ろうとする復帰力により前記弾性片を前記ビス軸外周面へ向けて押圧するよう構成され、
前記収容部には、前記ビスの前記ビス挿入孔への挿入による前記基板部の前記外方への変位を許容する許容空間が、形成されていることを特徴とする、配線ボックス。
【請求項２】
前記ビス固定具は、少なくとも一対の前記基板部と、それら基板部の一側を連結する連結板部とを備え、
前記連結板部は、前記ビスが挿通される通孔を備えて、前記ビスの挿入方向に交差するように配置されることを特徴とする、請求項１に記載の配線ボックス。
【請求項３】
前記基板部の全てに前記弾性片が設けられていることを特徴とする、請求項２に記載の配線ボックス。
【請求項４】
前記基板部には、前記弾性片が、前記ビスの挿入方向に沿って複数段設けられていることを特徴とする、請求項１ないし３のいずれか１項に記載の配線ボックス。
【請求項５】
前記収容部には、前記許容空間へと入る前記基板部を所定以上前記外方へ変位しないように規制する規制部が設けられていることを特徴とする、請求項１ないし４のいずれか１項に記載の配線ボックス。
【請求項６】
前記ビス固定具は、金属製であることを特徴とする、請求項１ないし５のいずれか１項に記載の配線ボックス。
【発明の詳細な説明】
【技術分野】
【０００１】
この発明は、器具がビスを用いて取り付け固定される配線ボックスに関するものである。
【背景技術】
【０００２】
従来、配線ボックスとして、図８に示されるものがあった（例えば、特許文献１参照）。この配線ボックス１４は、建物の壁１１の裏側に配備されるものであって、配線ボックス１４には、器具１２がビス１３を用いて取り付け固定された。ここで、配線ボックス１４は、ボックス本体１５の周壁１５ａから内側へ突出したボス部１５ｂを備えており、そのボス部１５ｂに、ビス１３を固定するためのビス固定具１６が収容されていた。そして、このビス固定具１６は、基板部１６ａから延設された弾性片１６ｂを備えており、その弾性片１６ｂが、ボス部１５ｂのビス挿入孔１５ｃに挿入されたビス１３の雄ねじに係合することで、そのビス１３の抜けを阻止した。
【０００３】
【特許文献１】特開２００７−７４８０８号
【発明の開示】
【発明が解決しようとする課題】
【０００４】
ところで、前記従来の配線ボックス１４にあっては、ビス固定具１６の弾性片１６ｂが弾性変形することで、ビス１３のビス挿入孔１５ｃへの進入を許容したが、この弾性片１６ｂを弾性変形し易くすると、ビス１３の抜けに対する弾性片１６ｂの突っ張り力が低下していまい好ましくなかった。また、弾性片１６ｂの突っ張り力を優先するよう、例えば、弾性片１６ｂの板厚を厚くすると、ビス１３がビス挿入孔１５ｃに進入する際に、弾性片１６ｂが抵抗して、ビス１３をビス挿入孔１５ｃに挿入し難くなった。
【０００５】
この発明は、上記した従来の欠点を解決するためになされたものであり、その目的とするところは、ビスをビス挿入孔へ挿入し易く、かつ、ビス挿入孔から抜け難くすることができる、配線ボックスを提供することにある。
【課題を解決するための手段】
【０００６】
この発明に係る配線ボックスは、前記目的を達成するために、次の構成からなる。すなわち、
請求項１に記載の発明に係る配線ボックスは、器具がビスを用いて取り付け固定される配線ボックスであって、ボックス本体と、前記ビスを固定するためのビス固定具とからなる。ここにおいて、前記ボックス本体は、前記器具が取り付けられる器具取付部を備える。そして、前記器具取付部は、前記ビスが挿入されるビス挿入孔と、そのビス挿入孔に連通して前記ビス固定具が収容される収容部とを有する。一方、前記ビス固定具は、前記ビスの前記ビス挿入孔への挿入方向に沿うように設けられる、一つまたは複数の基板部と、前記基板部の少なくとも一つから前記ビス挿入孔に向かって延設される弾性片とを備える。そこで、前記弾性片の先端部分が、前記ビス挿入孔に挿入された前記ビスのビス軸外周面に係合してそのビスを抜け止め状態に係止する係止部となる。そして、前記弾性片は、前記ビスの前記ビス挿入孔への挿入を許容すべくそのビスに押されて、前記ビス挿入孔の中心から離れる方向である外方に弾性変形するとともに、元の位置に戻ろうとする復帰力を備える。また、前記弾性片が設けられた前記基板部は、前記ビスの前記ビス挿入孔への挿入による前記弾性片の前記外方への弾性変形量を少なくすべく、その基板部の弾性により前記外方へ変位可能、かつ、その基板部の元の位置に戻ろうとする復帰力により前記弾性片を前記ビス軸外周面へ向けて押圧するよう構成される。そして、前記収容部には、前記ビスの前記ビス挿入孔への挿入による前記基板部の前記外方への変位を許容する許容空間が、形成されている。
【０００７】
これにより、この配線ボックスに器具を取り付けるには、ボックス本体の器具取付部に設けられたビス挿入孔に、ビスを押し込むようにして挿入する。ここにおいて、器具取付部の収容部に収容されたビス固定具の弾性片が、ビスに押されて、ビス挿入孔の中心から離れる方向である外方に弾性変形することで、ビスの挿入を許容する。この際、収容部には許容空間が形成されているため、弾性片が設けられた基板部は、その基板部の弾性により前記外方へ変位し、ビスの挿入による弾性片の前記外方への弾性変形量を少なくする。こうして、基板部が弾性変形することで、弾性片の弾性変形量を少なくすることができ、このため、ビスは、ビス挿入孔に容易に挿入される。そして、ビスがビス挿入孔に挿入されると、弾性片の先端部分の係止部が、ビス軸外周面に係合してビスを抜け止め状態にする。このようにして、ビスがボックス本体の器具取付部に固定され、器具は、配線ボックスに取り付け固定される。ここで、ビスには、基板部の復帰力が、弾性片を通して作用しているため、ビスに抜け方向の外力が作用しても、ビスはビス挿入孔から抜け難い。
【０００８】
また、請求項２に記載の発明に係る配線ボックスは、請求項１に記載の配線ボックスにおいて、前記ビス固定具は、少なくとも一対の前記基板部と、それら基板部の一側を連結する連結板部とを備える。そして、前記連結板部は、前記ビスが挿通される通孔を備えて、前記ビスの挿入方向に交差するように配置される。
【０００９】
また、請求項３に記載の発明に係る配線ボックスは、請求項２に記載の配線ボックスにおいて、前記基板部の全てに前記弾性片が設けられる。こうして、基板部の全てに弾性片が設けられることで、これら弾性片によって、ビスをバランスよく係止することができる。
【００１０】
また、請求項４に記載の発明に係る配線ボックスは、請求項１ないし３のいずれか１項に記載の配線ボックスにおいて、前記基板部には、前記弾性片が、前記ビスの挿入方向に沿って複数段設けられる。
【００１１】
また、請求項５に記載の発明に係る配線ボックスは、請求項１ないし４のいずれか１項に記載の配線ボックスにおいて、前記収容部には、前記許容空間へと入る前記基板部を所定以上前記外方へ変位しないように規制する規制部が設けられる。こうして規制部が設けられることで、ビスに抜け方向の外力が作用した際、規制部によって、基板部の前記外方への所定以上の変位が規制されるため、ビスを、ビス挿入孔から一層抜け難くすることができる。
【００１２】
また、請求項６に記載の発明に係る配線ボックスは、請求項１ないし５のいずれか１項に記載の配線ボックスにおいて、前記ビス固定具は、金属製となっている。
【発明の効果】
【００１３】
この発明に係る配線ボックスによれば、ビス固定具の弾性片を、弾性を備えた基板部に設けることで、ビスの挿入に対しては、弾性片の弾性変形量を少なくすることができ、挿入されたビスへの抜け方向の外力に対しては、ビスに基板部の復帰力が作用するため、ビスをビス挿入孔へ挿入し易く、かつ、ビス挿入孔から抜け難くすることができる。
【発明を実施するための最良の形態】
【００１４】
以下、この発明を実施するための最良の形態を図面に基づいて説明する。
【００１５】
図１〜図４は、本発明の一実施の形態を示す。図中符号１は、建物の壁である。２は、器具であって、コンセントとかスイッチ等の配線器具２ａ（器具本体）が保持パネル２ｂに取り付けられてなる。３は、ビスである。４は、前記器具２がビス３を用いて取り付け固定される配線ボックスである。
【００１６】
ここで、器具２においては、保持パネル２ｂが枠状に形成されており、その枠内に、配線器具２ａが取り付けられる。そして、保持パネル２ｂには、その各側、例えば上下の各側に、ビス３が挿通される孔２ｃが形成されている。
【００１７】
配線ボックス４は、ボックス本体５と、前記ビス３を固定するためのビス固定具６とからなる。ここにおいて、ボックス本体５は、前記器具２が取り付けられる器具取付部５ａを備える。この器具取付部５ａは、前記ビス３が挿入されるビス挿入孔５ｂと、そのビス挿入孔５ｂに連通してビス固定具６が収容される収容部５ｃとを有する。一方、ビス固定具６は、ビス３の前記ビス挿入孔５ｂへの挿入方向Ｐに沿うように設けられる、一つまたは複数の基板部６ａと、その基板部６ａの少なくと一つからビス挿入孔５ｂに向かって延設される弾性片６ｂとを備える。そして、その弾性片６ｂの先端部分が、ビス挿入孔５ｂに挿入されたビス３のビス軸外周面３ａに係合してそのビス３を抜け止め状態に係止する係止部６ｃとなり、かつ、弾性片６ｂは、ビス３のビス挿入孔５ｂへの挿入を許容すべくそのビス３に押されて、ビス挿入孔５ｂの中心５ｄから離れる方向である外方に弾性変形するとともに、元の位置に戻ろうとする復帰力を備える。また、弾性片６ｂが設けられた前記基板部６ａは、ビス３のビス挿入孔５ｂへの挿入による弾性片６ｂの前記外方への弾性変形量を少なくすべく、その基板部６ａの弾性により前記外方へ変位可能、かつ、その基板部６ａの元の位置に戻ろうとする復帰力により弾性片６ｂをビス軸外周面３ａへ向けて押圧するよう構成されている。そこで、ボックス本体５における器具取付部５ａの収容部５ｃには、ビス３のビス挿入孔５ｂへの挿入による前記基板部６ａの前記外方への変位を許容する許容空間５ｅが、形成されている。
【００１８】
具体的には、ボックス本体５は、例えば合成樹脂製であって、前側が開放された箱形形状、例えば直方体形状をしている。そこで、前記器具取付部５ａは、ボックス本体５の周壁５ｆの前端部分から、内側に突出するようにして形成される。そして、この器具取付部５ａに、ボックス本体５の前側から後方に向かって、前記ビス挿入孔５ｂが形成される。さらに、器具取付部５ａには、前記収容部５ｃが、ビス挿入孔５ｂと交差する方向に延設されて、その交差する方向に開口するよう形成されている。詳細には、収容部５ｃは、ビス挿入孔５ｂと直交する方向に延設されて、その直交する方向に開口（図示実施の形態においては、ボックス本体５の周壁５ｆ外面に開口）している。そして、この収容部５ｃは、図２に示すように、基板部６ａの外側に前記許容空間５ｅを有しており、また、収容部５ｃには、許容空間５ｅへと入る基板部６ａを所定以上前記外方へ変位しないように規制する規制部５ｇが設けられている。詳細には、この規制部５ｇは、収容部５ｃ（詳しくは、許容空間５ｅ）の外縁を形成する壁面からなっている。また、収容部５ｃは、ビス固定具６を、後述する基体６ｆの連結板部６ｄ側で支持するように、幅狭に形成された支持凹部５ｘを有している。
【００１９】
ビス固定具６は、金属製であって、ばね性を有する板材、例えば、鋼板とか銅合金板等の金属板からなる。このビス固定具６は、少なくとも一対の前記基板部６ａ、６ａ（図示実施の形態においては、一対の基板部６ａ、６ａ）と、それら基板部６ａ、６ａの一側を連結する連結板部６ｄとを備え、その連結板部６ｄは、ビス３が挿通される通孔６ｅを備えて、ビス３の挿入方向Ｐに交差するように配置される。そして、図示実施の形態においては、基板部６ａ、６ａの全てに前記弾性片６ｂが設けられる。詳細には、ビス固定具６は、一対の基板部６ａ、６ａとそれら基板部６ａ、６ａの一側を連結する連結板部６ｄとで全体がほぼＵ字状もしくはほぼコ字状に形成された基体６ｆを備えている。そして、基板部６ａ、６ａは、ビス挿入孔５ｂに挿入されたビス３の側方に、そのビス３を挟むように立設される。そして、弾性片６ｂは、この基板部６ａからビス軸外周面３ａへ向けて（つまり、内側へ向けて）延設される。ここにおいて、連結板部６ｄは、基板部６ａ、６ａの、ビス３の挿入方向Ｐ側を連結している。また、弾性片６ｂは、ビス３のビス軸心３ｂに対する角度Ａ３が４５°以内にあるように、ビス３のビス挿入孔５ｂへの挿入方向Ｐへ向けて傾斜した状態で、ビス軸外周面３ａに係合するよう構成されている。そして、弾性片６ｂの先端は、ビス挿入孔５ｂに挿入されたビス軸外周面３ａに沿うように、弧状に形成されるとともに、弾性片６ｂの係止部６ｃは、弧状部分の両側においては、ビス軸心３ｂとの角度が大きくなるよう折れ曲がって形成されている（図２、図３参照）。
【００２０】
ところで、ビス軸心３ｂに対する弾性片６ｂの角度Ａ３は、弾性片６ｂがビス軸外周面３ａに係合する前から、つまりビス固定具６が単独の状態で、４５°以内にあるのが好ましい。こうすることで、ビス３をビス挿入孔５ｂに挿入する際、弾性片６ｂは、ビス３に押されて容易に変形し、この挿入がし易くなる。そして、角度Ａ３は、弾性片６ｂがビス軸外周面３ａに係合したときには、係合する前の角度以下となることから、角度Ａ３が、弾性片６ｂがビス軸外周面３ａに係合する前において４５°以内にあれば、係合したときには、当然に４５°以内にある。
【００２１】
また、ビス固定具６は、ビス３の挿入方向Ｐへ向けて傾斜した状態で、ビス軸外周面３ａに係合するよう構成されているため、ビス３を挿入方向Ｐへ進める場合に比して、抜け方向Ｑへ後退させる場合の方が、基板部６ａが外方へ変位する量が大となる。したがって、前記規制部５ｇは、ビス３を挿入方向Ｐへ進める場合には、基板部６ａの外方への変位を規制することなく、ビス３を抜け方向Ｑへ後退させて、基板部６ａが所定以上外方へ変位しようとした場合に、その基板部６ａを規制するような位置に設けられるのが望ましい。
【００２２】
ビス３にあっては、通常のメートルねじではなく専用のねじが用いられる。このビス３は、図４に示すように、ねじ山が異形形状をしており、ビス軸外周面３ａにおけるねじ山の、ビス軸基端側（つまり、ビス３の頭部側）となる第１面３ｃは、ビス軸先端側となる第２面３ｄより、ビス軸心３ｂに対する角度が大となっている。その一方で、ビス軸外周面３ａに係合している弾性片６ｂの、ビス軸心３ｂに対する角度Ａ３は、前記第２面３ｄの、ビス軸心３ｂに対する角度Ａ２以上となっている。詳細には、前記第１面３ｃの、ビス軸心３ｂに対する角度Ａ１は、例えば、９０°であって、前記第２面３ｄの、ビス軸心３ｂに対する角度Ａ２は、例えば、３０°となっている。そこで、ビス軸外周面３ａに係合している弾性片６ｂの、ビス軸心３ｂに対する角度Ａ３は、３０°〜４５°の範囲内となる。
【００２３】
次に、以上の構成からなる配線ボックス４の作用効果について説明する。この配線ボックス４は、予め、壁１の裏側の柱等に、木ねじ等の固着具により取り付けられている。そこで、この配線ボックス４に器具２を取り付けるには、配線ボックス４に対応して壁１に明けられた壁孔１ａ部分における、壁１の表面に、器具２を宛がう。その後、ビス３を器具２（詳細には、保持パネル２ｂ）に明けられた孔２ｃに通し、続いて、ボックス本体５の器具取付部５ａに設けられたビス挿入孔５ｂに、ビス３を押し込むようにして挿入する。
【００２４】
ここにおいて、器具取付部５ａの収容部５ｃに収容されたビス固定具６の弾性片６ｂ、６ｂが、ビス３に押されて、ビス挿入孔５ｂの中心５ｄから離れる方向である外方に弾性変形することで、ビス３の挿入を許容する。この際、収容部５ｃには許容空間５ｅが形成されているため、弾性片６ｂが設けられた基板部６ａは、その基板部６ａの弾性により前記外方（許容空間５ｅ側）へ変位し、ビス３の挿入による弾性片６ｂの前記外方への弾性変形量を少なくする。こうして、基板部６ａが弾性変形することで、弾性片６ｂの弾性変形量を少なくすることができ、このため、ビス３は、ビス挿入孔５ｂに容易に挿入される。そして、ビス３がビス挿入孔５ｂに挿入されると、弾性片６ｂの先端部分の係止部６ｃが、ビス軸外周面３ａに係合してビス３を抜け止め状態にする。このようにして、ビス３がボックス本体５の器具取付部５ａに固定され、器具２は、配線ボックス４に取り付け固定される。ここで、ビス３には、基板部６ａの復帰力が、弾性片６ｂを通して作用しているため、ビス３に抜け方向Ｑの外力が作用しても、ビス３はビス挿入孔５ｂから抜け難い。すなわち、ビス固定具６の弾性片６ｂを、弾性を備えた基板部６ａに設けることで、ビス３の挿入に対しては、弾性片６ｂの弾性変形量を少なくすることができ、挿入されたビス３への抜け方向Ｑの外力に対しては、ビス３に基板部６ａの復帰力が作用するため、ビス３をビス挿入孔５ｂへ挿入し易く、かつ、ビス挿入孔５ｂから抜け難くすることができる。
【００２５】
また、ビス固定具６が収容される収容部５ｃには、許容空間５ｅへと入る基板部６ａを所定以上前記外方へ変位しないように規制する規制部５ｇが設けられており、これによって、ビス３に抜け方向Ｑの外力が作用した際、規制部５ｇによって、基板部６ａの前記外方への所定以上の変位が規制される。このため、ビス３を、ビス挿入孔５ｂから一層抜け難くすることができる。
【００２６】
また、ビス挿入孔５ｂに挿入されたビス３への抜け方向Ｑの外力に対して、ビス軸外周面３ａに係合した弾性片６ｂが、ビス３の抜け方向Ｑへ撓もうとするが、ビス軸心３ｂに対する角度Ａ３が４５°以内にある弾性片６ｂは、この撓みに対する突っ張り力が大きく、撓みに対して、つまりビス３の抜けに対して強く抵抗することができる。
【００２７】
また、ビス固定具６は、少なくとも一対の基板部６ａ、６ａ（図示実施の形態においては、一対の基板部６ａ、６ａ）の全てに弾性片６ｂが設けられており、これら弾性片６ｂ、６ｂによって、ビス３をバランスよく係止することができる。
【００２８】
また、ビス固定具６は、金属製であることから、弾性片６ｂにおける弾性力を高めることができるとともに、その弾性力を長期に渡って保つことができる。
【００２９】
また、ビス３にあっては、ねじ山における、ビス軸基端側となる第１面３ｃを、ビス軸先端側となる第２面３ｄより、ビス軸心３ｂに対する角度を大となるよう設定することで、つまりＡ１＞Ａ２とすることで、ビス軸外周面３ａにおけるねじ山の前記第１面３ｃに係合する弾性片６ｂによってビス３を的確に係止することができる。そして、ビス軸外周面３ａに係合している弾性片６ｂの、ビス軸心３ｂに対する角度Ａ３を、第２面３ｄの、ビス軸心３ｂに対する角度Ａ２以上となるよう設定することで、弾性片６ｂを、ねじ山の第１面３ｃに深く係合させることができる。
【００３０】
なお、本発明は、上述した実施の形態に限定されるわけではなく、その他種々の変更が可能である。例えば、ボックス本体５は、一体に形成されたものでなくとも、例えば、箱形のボックス部材と、そのボックス部材の前面に取り付けられる枠部材とからなる等、複数部材が組み合わされて形成されてもよい。
【００３１】
また、配線ボックス４に器具２を取り付けるにあたって、ビス３を器具取付部５ａのビス挿入孔５ｂに挿入した後に、ビス３を締め込むように回動してもよい。こうすることで、器具取付部５ａに対してビス３ががたつくことなく、器具２を配線ボックス４にしっかりと固定することができる。
【００３２】
また、ビス固定具６において、連結板部６ｄは、基板部６ａ、６ａの、ビス３の挿入方向Ｐ側を連結しているが、図５に示すように、基板部６ａ、６ａの、ビス３の抜け方向Ｑ側を連結してもよい。
【００３３】
また、弾性片６ｂは、各基板部６ａに一つ設けられているが、基板部６ａには、弾性片６ｂが、ビス３の挿入方向Ｐに沿って複数段設けられてもよい。ここで、図６に示す例では、各基板部６ａに、弾性片６ｂが、ビス３の挿入方向Ｐに沿って二段設けられているが、勿論三段以上設けられてもよい。また、弾性片６ｂは、それぞれの基板部６ａ、６ａで、設けられる数が同じでなくともよく、特に、弾性片６ｂが設けられない基板部６ａがあってもよい。
【００３４】
また、ビス固定具６は、基板部６ａを複数備えていなくとも、図７に示すように、一つのみ備え、その基板部６ａから弾性片６ｂが延設されてもよい。そして、この実施態様においては、収容部５ｃには、ビス固定具６を、基板部６ａの一側で支持するように、その一側が差し込まれる支持溝５ｙが設けられている。なお、この図において、弾性片６ｂは、基板部６ａに一つ設けられているが、ビス３の挿入方向Ｐに沿って複数段設けられてもよい。
【００３５】
また、ビス固定具６における弾性片６ｂの、ビス軸心３ｂに対する角度Ａ３は、３０°〜４５°の範囲内となっていなくとも、３０°未満であったり、４５°を越えてもよい。
【００３６】
また、ビス軸外周面３ａにおけるねじ山の、第１面３ｃの角度Ａ１および第２面３ｄの角度Ａ２は、前述の値に限定されるものではないのは勿論である。また、ビス３は、ねじ山が異形形状をしていなくとも、通常のメートルねじ等であっても構わない。
【図面の簡単な説明】
【００３７】
【図１】この発明に係る配線ボックスの一実施の形態の、縦断面図である。
【図２】同じく、図１におけるＡ−Ａ線による拡大断面図である。
【図３】同じく、図２におけるＢ−Ｂ線による断面図である。
【図４】同じく、図２におけるＣ部拡大図である。
【図５】この発明の第１変形態様を示す、図２相当図である。
【図６】この発明の第２変形態様を示す、図２相当図である。
【図７】この発明の第３変形態様を示す、図２相当図である。
【図８】従来の配線ボックスを示す縦断面図である。
【符号の説明】
【００３８】
２  器具
３  ビス
３ａ  ビス軸外周面
４  配線ボックス
５  ボックス本体
５ａ  器具取付部
５ｂ  ビス挿入孔
５ｃ  収容部
５ｄ  ビス挿入孔の中心
５ｅ  許容空間
５ｇ  規制部
６  ビス固定具
６ａ  基板部
６ｂ  弾性片
６ｃ  係止部
６ｄ  連結板部
６ｅ  通孔
Ｐ  挿入方向
Ｑ  抜け方向
【図１】
0005031517.tif 000002
【図２】
0005031517.tif 000003
【図３】
0005031517.tif 000004
【図４】
0005031517.tif 000005
【図５】
0005031517.tif 000006
【図６】
0005031517.tif 000007
【図７】
0005031517.tif 000008
【図８】
0005031517.tif 000009